Podtech/llm-jp-corpus-v4-ja_patent huggingface dataset:
(57)【要約】【課題】  炊飯器の内釜を用いて今までとおりの方法で洗米が簡単に出来る様に考えた水切り補助具を提供する。【解決手段】  炊飯器内釜の上部に取り付けたり、取り外しが簡単に出来、取り付けて使用する事で、お米の流出も防げ、どのメーカの炊飯器でも使用する事が出来る水切り補助具。【選択図】図１
2009279380.tif 000002
【特許請求の範囲】
【請求項１】
Ｕ字型に溝を付けたリングの一部に、水切りが出来る様に穴を開けた三日月型の突起がある洗米水切り補助具。
【発明の詳細な説明】
【技術分野】
【０００１】  本発明は、一般家庭の炊飯で使用する炊飯ジャーの内釜を使って洗米をする時に、米粒の無駄な流出を防ぐ為の洗米水切り補助具に関する物である。
【背景技術】
【０００２】  今ある多くの家庭用洗米具のアイデアは冷水時の手指使用を排除するのを目的にしている物が知られている（特許文献１）。
【特許文献１】特開平８−２４３０３６合広報
【発明の開示】
【発明が解決しようとする課題】
【０００３】  それには次のような問題点があった。
手指の使用をやめるて洗米をする為にパイプを水道ホースに連結しなければならない不便さが出来てしまった。
本発明は、問題点を解決する為のものである。
【課題を解決する為の手段】
【０００４】  炊飯器の内釜に、洗米水切り補助具を取り付け、弾力のあるシリコンゴムをコーティングした泡立て器を用いて、今まで通りの洗米方法で洗米が出来る。
【発明の効果】
【０００５】  炊飯器の内釜に、洗米水切り補助具の取り付けたり、取り外しをするだけで今までと何ら変わらずに、どこのメーカの炊飯器内釜でも洗米が出来る万能性を持っている。
【発明を実施するための最良の形態】
【０００６】以下、本発明の実施の形態について説明する。
（イ）炊飯器内釜の上部に、洗米水切り補助具を溝に合わせて取り付ける。
（ロ）計量カップで必要な量のお米を内釜に入れる。
（ハ）水道の蛇口から水を落とし込み、泡立て器で軽く２，３回かき混ぜすぐに内釜を傾けて排水をする。
（二）後は、各家庭の今までの方法で洗米を行う。
【図面の簡単な説明】
【０００７】
【図１】  本発明の正面図
【図２】  本発明の右側面図
【図３】  本発明の平面図
【図１】
2009279380.tif 000003
【図２】
2009279380.tif 000004
【図３】
2009279380.tif 000005
(57)【要約】      （修正有）【課題】湯面に湯垢取器を浮遊させ、本機内を湯水が対流することにより、途中に設けられたフィルターで湯垢脂肪を除去する装置の提供。【解決手段】入浴中及び排湯時に、湯面１に本体を静止又は浮遊させ、本体内のスクリュー４により湯水を対流させ、上面に設けたフィルター３により湯面の湯垢及び脂肪を除去する様にした。【選択図】図２
2009279378.tif 000002
【特許請求の範囲】
【請求項１】
浮力用フロートの一部は湯面上にあり、湯面下の、フロートの面は、吸水口フィルターと同一面になっており、その面の深さを出来るだけ浅くし、垢を、面で効率良く吸収する様になった装置。
【請求項２】
タイマーを内蔵し、停止忘れによる電池の消耗防止と、排水時に排水完了時に停止する装置。
【請求項３】
排水口を複数設け、その孔を開放又は閉鎖する事によって停止又は、回遊するようになった装置。
【発明の詳細な説明】
【図面の簡単な説明】
【図１】本発明の浴槽内浮遊湯垢取器の上面図である。フロート２は湯面上にあり浮力を有し、フロート１０は湯面下にあり電池及モーター類を湯面下に、保つ浮力をもつフロートである。中央部にフィルターホルダー１１があり、ホルダー１１の上にフィルター３を、乗せてあり、フロート面１０とフィルター３の面は同一面で、湯面下約３ｍ／ｍの処に保たれている。
【図２】本発明の浴槽内浮遊湯垢取器の断面図である、本体の上部は、浮遊用フロート及フィルターからなっている。中央部分は、湯水を対流させるスクリューと、排水口からなっており、下部は密閉され、動力係の電池とモーター及、スイッチ、タイマーからなっている。
【符号の説明】
１．湯面の位置を示す。２．フロート３．フィルター４．スクリュー５．排水口（栓をした状態）６．排水口（開放した状態）７．モーター８．電池９．スイッチ１０．水面下に沈んだフロート面１１．フィルターホルダー１２．湯水の吸入方向１３．タイマー
【発明の詳細なる説明】
【技術分野】
【０００１】本発明は、入浴時に、発汗等により分泌した、脂肪及垢等が湯面に浮遊する、この脂肪垢等をフィルターにより除去する。
【背景技術】
【０００２】浴槽に浮いた湯垢脂肪を除去する装置はなく、浴槽の側面及底部等を、洗剤で洗い流すか、入浴時に湯面に浮いた垢や脂肪等を、手桶ですくいとっていた。【０００３】特に循環式（追炊き式）の場合は、加熱釜の内部に付着した垢や脂肪等を、加熱釜の内部は蛇腹式ポンプ又は、水道ホースを入れ強く放水して洗い流していた。
【課題を解決する為の手段】
【０００４】前記課題を解決する為に、入浴時及び、浴槽湯の排水時に湯垢取器を浮遊させ、本体内の対流機構により湯水を対流させ、上面に設けたフィルターにより、湯面の湯垢及び脂肪を除去する装置である。
【０００５】図２でわかる如く、スクリューを稼働することにより、湯面の湯水を本機内に吸入させ、その際、途中に設けられたフィルターを通過時に、フィルターにより湯垢脂肪が除去される。
【０００６】吸入した湯水は、下部の複数の穴から排出される。この排水口は周囲に複数個設けてあり、その穴を、任意に栓をして、開閉をしておけば本体は静止、又は浮遊する。例えば、左右対称に穴を開放しておけば静止するし、逆に一方向の穴を多く開放し、直角方向に少数の穴を開放しておけば、本体は、排出流量が、方向穴により異なる為、浮遊する。
【０００７】この湯垢取器の場合、最も重要な部分は、吸入口である。前回（出願Ｎｏ２００７〜３７１９３）の試作品で実験を試みた処、対流はするものの湯面上に浮いていた湯垢は、ごくわずかしか吸入しなく、効果的には零に近かった。検討の結果フィルターが湯面上と湯面下の部分に位置する為、吸入されるのは、湯面のライン部分の湯垢のみが、吸入され、吸水される湯水は湯垢が浮いた湯面と関係のない湯面下から殆んどが吸水されている。
【０００８】これを解決する為に、湯面と吸水口の面が、平行で、且吸水口（フィルター）までの深さが、弱い吸入力でも吸入出来様浅く（約２〜３ｍ／ｍ）した。
【０００９】尚湯面の湯垢が、吸入口に集中し吸い込み易くする為に湯面下のフロート１０を出来るだけ広くし、吸水口と同一面にした。
【００１０】水面上のフロートは、出来るだけ本体の外周側に設け、湯面に対流しを、動きをする様にした。
【００１１】水面上のフロートの形状は、湯垢が、吸入口に流れ易くする為、花ビラ形にした。
【００１２】タイマーを設けた事により、停止忘れを防止すると共に入浴后、湯を落す時に、残った湯垢を排水し終えるまでに、取除く為である。又循環式（追炊き式）の場合、確実に湯垢を除去しておかないと、釜の中に湯垢が付着する為、タイマーをセットして、湯が浴槽からなくなった時に停止する様にする。
【発明の効果】
本発明により以下の効果を奏することが出来る。
【００１３】入浴すると体温が上昇し、発汗をする為、垢脂肪が放出され湯面に浮遊する。又体に付着していた汚れも湯で溶解し、湯面に浮遊するので不衛生である。
【００１４】浴槽から上ると湯面が下ると同時に、今迄浮遊していた垢や脂肪が浴槽壁に、付着するし、勿論体にも付着する。
【００１５】複数の人が入浴すると、その現象はひどく、不衛生である。例え上り湯を使っても全部除去出来ない為バスタオルも汚れるわけである。
【００１６】入浴終了后、湯を落すと、湯面が下ると共に、垢や脂肪は浴槽全体に、付着し掃除が大変であり、まして循環式の釜の内部に付着し、焼付いて不衛生である。
【１０１７】本体を入浴時から排水し終える迄稼働しておくと常に湯面を浮遊し乍ら垢脂肪を除去しておくと衛生的であり、掃除も簡単である。
【図１】
2009279378.tif 000003
【図２】
2009279378.tif 000004
(57)【要約】【課題】  状差しなどを、本箱や水屋などの家具の側面に取り付けたい場合、傷ををつけずに、吊り下げられる。また位置が不都合ならば何時でも簡単に移動でき、取り外しもできる、簡易吊り金具を提供する。【解決手段】  逆Ｌ型の簡易吊り金具（１）の一端に両面接着テープ又は接着剤（２）をつけ、他端に突起フック（３）及び吊り孔（４）を設けた簡易吊り金具を特徴とする。【選択図】図１
2009279371.tif 000002
【特許請求の範囲】
【請求項１】
吊り金具の一端に突起フック、吊り孔  、を設け、他端に両面接着テープ又は接着剤を附した吊り金具。
【発明の詳細な説明】
【技術分野】
【０００１】この発明は状差し等を本箱や水屋などの家具の側面に吊り下げる様にした吊り金具である。
【背景技術】
【０００２】従来は状差し等を本箱や水屋などの家具の側面に取り付けるには、木ネジや、ネジ付きＬ字型フックなど使用して、家具に傷をつけていた。
【発明の開示】
【発明が解決しようとする課題】
【０００３】吊り金具を家具などに取り付けようとすると、家具に傷をつけ又、取り付け位置を変更しようとすれば、また新たなきずをつける事となる、本発明は、以上の問題点を解決するために、なされたものである。
【課題を解決するための手段】
【０００４】逆Ｌ字型の簡易吊り金具（１）の一端に両面接着テープ又は、接着剤（２）を附し、他端にはワイヤーネット等を吊る突起フック（３）及びワイヤーカゴ等吊り下げ用の、吊り孔（４）を設ける。以上の構成よりなる簡易吊り金具である。
【発明の効果】
【０００５】簡易吊り金具取り付けにより、家具に傷がつかず、又取り付け位置の変更も、接着を剥がして移動させるか、ボール紙に貼り付けた場合には、そのまま移動し、容易に位置の変更ができる。又不要になれば簡単に取り外すことができる。
【発明を実施するための最良の形態】
【０００６】従来の吊り金具取り付けは、家具に傷をつけていたが、傷をつけずに状差しや、ワイヤーネット、ワイヤーカゴ、などを吊り下げられる様、吊り金具を逆Ｌ型とし、その一端の本箱や水屋など家具の天井板にあたる部分に、両面接着テープ、又は接着剤をつけ、本箱や水屋等の天井板に貼り付ける。
他端には、ワイヤーネット、などが吊れる様に突起フックを出し、吊り下げられる様にする。これの実施例が、図２である。又その下にはワイヤーカゴ、が吊れる様に、吊り孔をあけ、吊り下げられるようにする、これの実施例が、図３である。
又家具の天井に貼り付け、接着剤が天井板に付着したら困る場合には、実施例  図３に記入してある様に厚みのある、ボール紙（５）に貼り付け家具の天井板にのせる。
動くようであれば、その上に、本や箱など重いものを乗せると動かない、又吊る物の大きさ、形状などにより、１ケで使用することも、２ケペアで使用することもできる。
【図面の簡単な説明】
【０００７】
【図１】  本発明の斜視図である。
【図２】  本発明の実施例である。
【図３】  本発明の実施例である。
【符号の説明】
【０００８】    （１）            簡易吊り金具
（２）            両面接着テープ又は接着剤
（３）            突起フック
（４）            吊り孔
（５）            ボール紙
【図１】
2009279371.tif 000003
【図２】
2009279371.tif 000004
【図３】
2009279371.tif 000005
(57)【要約】      （修正有）【課題】ＭｎＯ３の製造方法ＭｎＯ２を水圧カッターで切断する→ＭｎＯ３切断した粉末をアセトンでペレット状に固めて、乾燥する。【解決手段】不妊症は赤外レーザーで治る。体外から子宮に１５ｃｍ離れて照射。次世代ＤＶＤピックアップレーザー、大腸癌に効く（体外から１ｃｍ離れて照射）脳癌に効く、重度の場合はＩＲとの交互照射、肺浮腫は近接距離で照射、腰のヘルニアに効く。【選択図】図１
2009279379.tif 000002
【特許請求の範囲】
【請求項１】
赤外レーザー
【発明の詳細な説明】
【技術分野】
【０００１】レーザー
【背景技術】
【０００２】
【特許文献１】
【特許文献２】
【非特許文献１】
【非特許文献２】
【発明の開示】
【発明が解決しようとする課題】
【・・・・】
【課題を解決するための手段】
【・・・・】
【図１】
2009279379.tif 000003
【手続補正書】
【提出日】平成20年8月15日(2008.8.15)
【手続補正１】
【補正対象書類名】明細書
【補正対象項目名】全文
【補正方法】変更
【補正の内容】
【発明の詳細な説明】
【技術分野】
【０００１】レーザー
【背景技術】
【０００２】
【特許文献１】
【特許文献２】
【非特許文献１】
【非特許文献２】
【発明の開示】
【発明が解決しようとする課題】
【・・・・】
【課題を解決するための手段】
【・・・・】
【図面の簡単な説明】
【０００３】
【図１】赤外レーザーを表す図である
(57)【要約】【課題】マイナスイオンと遠赤外線が発生するセラミックスを使用した、ＰＴＣ遠赤外線面状発熱体による温灸器を提供する。【解決手段】マイナスイオンが発生する天然鉱石と、遠赤外線を発生する天然鉱石を原料としたセラミックスを使用し、ＰＴＣ遠赤外線面状発熱体を熱源としたことを特徴とするＰＴＣ遠赤外線面状発熱体による温灸器。【選択図】図１
2009279363.tif 000002
【特許請求の範囲】
【請求項１】
マイナスイオンが発生する天然鉱石と、遠赤外線を発生する天然鉱石を原料としたセラミックスを使用し、ＰＴＣ遠赤外線面状発熱体を熱源としたことを特徴とするＰＴＣ遠赤外線面状発熱体による温灸器。
【発明の詳細な説明】
【技術分野】
【０００１】  本発明は、マイナスイオンが発生する天然鉱石と、遠赤外線を発生する天然鉱石を原料としたセラミックスを使用し、熱源にはＰＴＣ遠赤外線面状発熱体の自動温度制御機能の特性とを最大限に生かした、ＰＴＣ遠赤外線面状発熱体による温灸器に関するものである。
【背景技術】
【０００２】  従来、マイナスイオンが発生する天然鉱石と遠赤外線を発生する天然鉱石を原料とするセラミックスを使用した温灸器はなかった。また、ＰＴＣ遠赤外線面状発熱体を使用した温灸器もなかった。また、電気によって加熱すると遠赤外線を放射するセラミックス材を使用した電気温灸器はあった（特許文献１参照）。
【特許文献１】  実用新案公開平６−７７７５２号公報
【発明の開示】
【発明が解決しようとする課題】
【０００３】  従来より、次のような問題点があった。
（イ）高温を特徴とする電気温灸器のため、温度にバラツキがあった。
（ロ）電気温灸器のため温灸器本体も高温となり手が熱くなり危険であった。
（ハ  発熱体であるセラミックス面が小さく、使用効率が悪かった。
本発明は以上の問題点を解決しようとするものである。
【発明が解決するための手段】
【０００４】  ＰＴＣ遠赤外線面状発熱体を熱源とすることにより熱分布が均一となり、温度のバラツキもなく、温灸器本体が高温になることも解消され安全である。発熱体であるセラミックを大きくすることにより使用効率を上げることができる。  以上を特徴とするＰＴＣ遠赤外線面状発熱体による温灸器である。
【発明の効果】
【０００５】  本発明は、ＰＴＣ遠赤外線面状発熱体からの遠赤外線効果と、セラミックスの原料であるマイナスイオン或いは遠赤外線を発生させる天然鉱石の粉末であることから、これらの特性による相乗効果は多大である。また、使用電力は極めて小さく経済性に優れている。とくに、ＰＴＣ遠赤外線面状発熱体の特性である自動温度制御機能は、温度が一定し電源の入り切りだけの操作のため、子供や高齢者でも安全で安心して使用ができる。
【発明を実施するための最良の形態】
【０００６】  以下、本発明の実施の形態について説明する。
（イ）本体（１）の本体上部（２）の開口部に、セラミックス（４）とＰＴＣ遠赤外線面状発熱体（７）及び断熱材（８）を一体化し、嵌め込み固定する。
（ロ）ＰＴＣ遠赤外線面状発熱体（７）に接続の電源コード（５）を本体上部（２）に取付け、同時に金属スプリング（６）を固定する。
（ハ）本体上部（２）の作業が完了すると、本体下部（３）と接着剤（９）によって一体化し、本体（１）は出来上がる。
本発明は以上のような構造によりなっており、使用するときは電源スイッチを入りにし、数分後の温熱状況を確認し使用する。使用に当っては、ただれや火傷を防ぐためにも必ず下着を着用し、その上から本体上部（２）のセラミックス面（４）をあてて温熱する。温熱状況により本体（１）を移動しながら部位の温熱を行う。
【図面の簡単な説明】
【０００７】
【図１】  本発明の斜視図である
【図２】  本発明の断面図である
【符号の説明】
【０００８】１  本体
２  本体上部
３  本体下部
４  セラミックス
５  電源コード
６  金属スプリング
７  ＰＴＣ遠赤外線面状発熱体
８  断熱材
９  接着剤
【図１】
2009279363.tif 000003
【図２】
2009279363.tif 000004
(57)【要約】【課題】    へその温灸を、火を使わず簡単安全にできる方法を提供する。【解決手段】    遠赤外線放射率の良い素材（１）をへそ（２）の中に入れ、粘着部（４）を有しへその径に近い大きさの発熱面を持つ、火を使わぬ発熱体（３）で加熱するへその温灸方法を特徴とする。【選択図】図１
2009279364.tif 000002
【特許請求の範囲】
【請求項１】
遠赤外線放射率の良い素材をへそに入れ、加熱してへそを温める方法。
【発明の詳細な説明】
【技術分野】
【０００１】  この発明は、遠赤外線放射率の良い素材をへその中に入れ、へその径に近い大きさの発熱面を持つ火を使わぬ発熱体で加熱する、へその温灸方法に関するものである。
【背景技術】
【０００２】  従来、へその温灸は、しょうがを使う温灸や塩を使う温灸、懐炉様のものを使う温灸によって行われていた。
【発明の開示】
【発明が解決しようとする課題】
【０００３】  これらは、次のような欠点があった。
（イ）しょうがを使う温灸では、新鮮なしょうがをその都度スライスして使うため面倒であった。
（ロ）塩を使う温灸では、もぐさの火により塩がパチパチとはじけ飛んで火傷の危険があった。また、施灸後へその中の塩を取り出すのが面倒であった。
（ハ）しょうが又は塩を使う温灸では、へその深さにより、燃焼させるもぐさの量を加減しなくてはならなかった。また、もぐさの燃焼により煙とにおいが出たり、ひとりでは施灸しにくい面があった。
（ニ）懐炉様のものを使う温灸では、へそ周辺の広い範囲を温めてしまうため、へそのツボのみを温めることによるツボ効果は期待できなかった。
本発明は、以上のような欠点をなくすためになされたものである。
【課題を解決するための手段】
【０００４】  遠赤外線放射率の良い素材（１）をへそ（２）の中に入れ、へその径に近い大きさの発熱面を持つ火を使わぬ発熱体（３）で加熱する。
本発明は、以上の組み合わせよりなるへその温灸方法である。
【発明の効果】
【０００５】  （イ）簡単に施灸できる。
（ロ）火を使わないので安全であり、また、煙やにおいが出ない。
遠赤外線放射率の良い素材は、加熱された場合、伝導熱としてではなく輻射熱として対象を温めるので、へそに密着していれば、へその深浅にかかわらず、熱源からの一定の温熱を得られる。つまり、へその深浅による熱の加減は必要ない。
（ハ）へその径の大きさに近い発熱面を持つ発熱体を使うので、へそ周辺の広い面積を温めることなく、へそのツボのみを温めることができ、ツボ効果を大いに期待できる。
【発明を実施するための最良の形態】
【０００６】  以下、本発明を実施するための最良の形態について説明する。
遠赤外線放射率の良い素材（１）は、どのようなへそにも密着するように柔軟性のあるものを用いる。
へそ（２）に、素材（１）を差し込む。
一般的なへその径に近い大きさの発熱面を持ち、周囲に粘着部（４）を持つ火を使わぬ発熱体（３）で、素材（１）を圧縮しながら、そのまま固定する。
本発明は以上のような構造である。
これを使用するときは、粘着部で固定したまま発熱体からの発熱が止むのを待つだけで、へその温灸ができる。
【図面の簡単な説明】
【０００７】
【図１】  本発明の実行前の斜視図である。
【図２】  本発明の実行後の断面図である。
【符号の説明】
【０００８】  １  遠赤外線放射率の良い素材
２  へそ
３  火を使わぬ発熱体
４  粘着部
【図１】
2009279364.tif 000003
【図２】
2009279364.tif 000004
(57)【要約】【課題】健康増進と体力維持のためのウォーキングを持続させるため、さらに効果を上げる運動具を提供する。【解決手段】背中の肩甲骨あたりにテープを回し両端に取り付けた握り棒を握った状態で上腕部と前腕部がほぼ直角になるように調節しこの姿勢でウォーキングを行うことにより、手の位置を心臓の位置に近く保持されるため手の指先がうっ血しない。また本発明を装着せずに歩行した場合と比較し上腕部のストロークが大きくなることによって、肩甲骨へのストレッチ効果が向上し肩こり防止に効果が出る。また、つまずいて転倒しそうになった際すぐ手を離すことができるので体のバランスを保持し、転倒予防になる。目的の明確な器具を装着してのウォーキングは衆目に対する気恥ずかしさを和らげ、むしろカラフルなデザインを導入することによってウォーキングファッションの向上も狙える。【選択図】図１
2009279365.tif 000002
【特許請求の範囲】
【請求項１】
肩甲骨の位置にかけるテープとその両端に装着した握り棒（ハンドル）の部分との構成から成るウォーキングストラップ
【請求項２】
体格に合わせ姿勢を保持するためテープの長さを調整する機能を持つ請求項１記載のウォーキングストラップ
【請求項３】
握り棒部分に握力トレーニング機能（ハンドグリップ）を付加した請求項１記載のウォーキングストラップ
【発明の詳細な説明】
【技術分野】
【０００１】本発明は、ウォーキング時における最適な姿勢を保持し、ウォーキングの効果を向上させるためのウォーキングストラップに関するものである。
【背景技術】
【０００２】健康増進と体力維持のためウォーキングは幅広い年齢層の人々に愛好されているが、本来歩くことは人間の基本動作の為ウォーキング時の姿勢は人それぞれで、効果的な姿勢があっても自身がふだん馴染む姿勢で行う。ウォーキング時のスタイルは首からタオルを掛け、腕を下げた状態に疲れたため両手でタオルの両端を握る人を多くみかける。
従来の技術にゴムテープを肩にかけ両端に指や手の挿入環を取り付けた考案があった。（特許文献１参照）
【特許文献１】登録実用新案第３１１２９１０号
【発明の開示】
【発明が解決しようとする課題】
【０００３】長時間ウォーキングをした場合、手を下げた状態が続くため手の指先がうっ血した状態になり不快感を感じる。また上腕部の振幅を大きく保つため前腕部と直角に保持しながら歩くことがウォーキングでは効果的であるが、この姿勢を保持することは腕に疲労をもたらしいつの間にか手を下げた状態で歩行することになる。同様の効果をもたらすものとしてストックを交互に突きながら歩く発明もあるが、アスファルトやタイル張りの道路においては突く感触が硬く長時間のウォーキングでは手首の関節等に負担が生じる。
さらに用具なしで前述の姿勢で衆人の中を歩くことは、不自然な動作の為気恥ずかしい感じを受ける。
従来の技術に肩にかけたゴムテープの両端に指や手の挿入環を取付ける考案があったが、転倒の際咄嗟に手を抜けず危険である。
本発明はこの課題を解消するためになされたものである。
【課題を解決するための手段】
【０００４】背中の肩甲骨あたりにテープを回し両端に取り付けた握り棒を握った状態で上腕部と前腕部がほぼ直角になるように調節しこの姿勢でウォーキングを行うことにより、手の位置を心臓の位置に近く保持されるため手の指先がうっ血しない。また本発明を装着せずに歩行した場合と比較し上腕部のストロークが大きくなることによって、肩甲骨へのストレッチ効果が向上し肩こり防止に効果が出る。また、つまずいて転倒しそうになった際すぐ手を離すことができるので体のバランスを保持し、転倒予防になる。
ウォーキング目的の明確な器具を装着してのウォーキングは衆目に対する気恥ずかしさを和らげ、むしろカラフルなデザインを導入することによってウォーキングファッションの向上も狙える。
【発明の効果】
【０００５】（イ）本発明を利用した場合、健康増進と体力維持のためウォーキングの際に、手の位置を下げずに済み指先のうっ血を回避し長時間快適に行なうことができる。
（ロ）本発明を利用した場合、肩甲骨を支点とした使用法は肩甲骨のストレッチ効果を促し、これが血行の促進につながり肩こりの防止に効果的である。
（ハ）請求項３に記載した握力トレーニング機能をもつハンドグリップを付加した場合には手の血行をより良くすることができ、四肢すべての運動機能改善を促進することができる。
（ニ）ウォーキング目的の明確な器具を装着してのウォーキングは衆目に対する気恥ずかしさを和らげ、むしろカラフルなデザインを導入することによってウォーキングファッションの向上を狙える。
【発明を実施するための最良の形態】
【０００６】以下本発明の実施の形態を説明する。
肩甲骨上部を経由するように体に巻きつけたテープ（２）の両端にハンドル（１）を結束する。ハンドル（１）を軽く握った状態で、上腕部と前腕部が直角になるように調整具（３）でテープの長さを調整する。このハンドルの運動する範囲内で腕を交互に前後させることでウォーキングに最適な姿勢を保持することができ、肩甲骨のストレッチ効果や四肢の血行を促す効果を得ることができる。
肩甲骨付近はウォーキング時の姿勢においては垂直に近いためずれ難いようにするためテープ（２）の巻きつけ部分は幅の広いものにする。運動時は発汗するためナイロンのメッシュ素材が望ましい。ウォーキング時は手を交互に前後させるが、後ろに引いた際テープ（２）に脱落方向の力が働くものの、上腕部がこれを阻止する方向に動くため脱落することはない。この上腕部の効果を大きくするため、ハンドルとテープの結束具（４）は両手の内側に位置するようにする。
長時間ウォーキングをした場合、ハンドルを強く握った状況が長く続いて手先がこわばるケースが生じる。この場合握力トレーニング機能（ハンドグリップ）を付加したハンドル（５）を使用することで解消される。コイルばね（６）の力で離れている二つのグリップを歩くリズムで定期的に握ることで手先の血行を促進する。
片側のハンドルに手首を固定する結束具を装着し、軽い片まひ等の運動能力回復のためのリハビリ具として利用できる。両手の結束は転倒の危険があり禁止したい。
【図面の簡単な説明】
【０００７】
【図１】本発明を使用している状況を表した図
【図２】本発明の運動概念図
【図３】本発明の斜視図
【図４】本発明のハンドル部平面図  （Ａ）左手用  （Ｂ）右手用
【図５】本発明のハンドル部正面図
【図６】請求項３の握力トレーニング機能（ハンドグリップ）を付加した発明のハンドル部平面図  （Ａ）左手用  （Ｂ）右手用
【図７】請求項３の握力トレーニング機能（ハンドグリップ）を付加した発明のハンドル部正面図
【符号の説明】
【０００８】１    握り棒（ハンドル）
２    テープ
３    テープ長の調整具
４    ハンドルとテープの結束具
５    請求項３の握力トレーニング機能（ハンドグリップ）
６    コイルばね
【図１】
2009279365.tif 000003
【図２】
2009279365.tif 000004
【図３】
2009279365.tif 000005
【図４】
2009279365.tif 000006
【図５】
2009279365.tif 000007
【図６】
2009279365.tif 000008
【図７】
2009279365.tif 000009
(57)【要約】【課題】  紙巻器のロールペーパーを使用するとき、ペーパーの端を掴み、ペーパーを必要な長さに引き出し、ペーパーを切る一連の動作を片手でしかも容易に行える機能を持たせる。【解決手段】  ロールペーパー１はペーパーカバー５を上げて引き出し端を下から引き出す方向にロールペーパー入れ２へ入れる。そしてペーパーを引き出してシャフト６で折り返して刃付きアーム８の刃付近に垂れ下げベーパーカバー５をロールペーパー１の上に置きセットが完了する。  使用するときは垂れ下がっているペーパーを掴んで必要なだけ手前に引き出し刃付アーム８の刃付きバーの裏側に廻して手前に引いて切る。この一連の動作を片手でしかも容易に行えることを特徴とする。【選択図】図１
2009279370.tif 000002
【特許請求の範囲】
【請求項１】
トイレットペーパーの切口を掴み易くまた片手でカットできるよう刃付アームを片持ちとし、刃は内向きに取り付けてあるため引き出したペーパーは内側に回して前に引っ張って切る紙巻器
【請求項２】
ペーパーを引っ張って切る時にペーパーがズルズルと出て来ないようペーパーの折り返し部としてロールペーパー入れの上部に表面を滑り止め加工したシャフトを設けた紙巻器。
【請求項３】
シャフトはペーパーを引き出すときはフリーに回転し、ペーパーを切るときは引いた力で刃付アームを動かしその上部の爪でシャフトの歯車をロックしてペーパーが繰り出して来ない紙巻器。
【請求項４】
ロールペーパーが小径になって軽くなるとペーパーがシャフトに密着しない。これを防ぐためペーパーカバーに重量を持たせ、かつロールペーパーが大径の時は荷重が軽く小径になると重く懸かるようにペーパーカバーの支点をロールペーパーが小径の時の芯の中心線より下に設けた紙巻器。
【発明の詳細な説明】
【技術分野】
【０００１】  本発明はトイレ用ロールペーパーを保持し、必要な長さだけ引き出して切断するためのトイレ用巻紙機に関するものである。
【背景技術】
【０００２】  従来、巻紙機のロールペーパーを引き出して切る場合はペーパーカバーを片手で押さえ、もう一方のペーパーを掴んでいる手を引き上げてペーパーカバーの端で切る方式が殆どである。【０００３】  巻紙機にロールペーパーを設置する場合はロールに心棒を刺して設置し上から引き出して使用する方式が殆どである。
【特許文献１】  特許公開  ２００５−２８８１１２
【非特許文献１】  登録実用新案第３０８３２３３号
【発明の開示】
【発明が解決しようとする課題】
【０００４】  ロールペーパーの切り端はペーパーカバーの下にあり、またロールに密着しているため掴み難い。さらにペーパーの引き出し始めは端を少ししか掴めないのでちぎれることが多い。【０００５】  ロールペーパーを引き出す場合も切る場合も両手を使わなければならず片手が使えない場合や片手が不自由な人にとっては困難である。【０００６】  ペーパーカバーの端でペーパーを切るが安全上から刃が無いものや有っても切れ難くしてある。従ってペーパーの種類によっては力のない小さい子供やお年寄りには困難である。【０００７】  ペーパーカバーにはペーパーを引き出す場合やペーパーを切る場合に不特定多数の人が触るため衛生上好ましくない。
【課題を解決するための手段】
【０００８】  ペーパーを必要な長さに引き出してアーム下方裏側の刃に廻し手前に引いて切る機構である。【０００９】  ロールペーパーは下から引き出す向きにロールペーパー入れに入れて切り端を引き出してシャフトで折り返しアーム下付近に垂れ下げる。シャフトは通常はフリーに回転しペーパーを切る場合はペーパーが繰り出して来ないよう切断時アームに掛かる力でロックする。なおローラーの表面は滑らないよう全面を鑢状にする。【００１０】  ロールペーパーが小径になり軽くなるとペーパーを切るときシャフトへの接触圧が低下しペーパーが出てきてしまい切れない。そのためペーパーカバーを重くし、かつロールが大径の時は軽く小径の時は重く懸かるよう取り付け支点を下方にする。【００１１】本体とアームの刃取り付けバーの間隔はペーパーを片手で容易に取れるスペースを確保する。
【発明の効果】
【００１２】  背板に磁石を取り付けてあるためペーパーカバーを持ち上げ背板に付けるとそこで保持されるためロールペーパーの入れ替え作業がし易い。【００１３】  ロールペーパーはペーパーカバーを持ち上げロールペーパー入れにペーパーを下から引き出す方向に入れるだけなので簡単であり、ペーパーの心棒も必要がない。【００１４】  ペーパーは手前に必要なだけ引き出してアームの裏側に廻して引くだけで切ることができこれらは片手で容易に行える。従って片手しか使えない人や力の弱い人も容易に使用できる。【００１５】  切った後のペーパーはアームの刃付近に垂れ下がっているため次に使う時には容易にしっかりと掴むことができる。【００１６】  ペーパーの入れ替え時以外は紙巻機のいかなる部分にも触れずに済むため衛生上好ましい。
【発明を実施するための最良の形態】
【００１７】  以下、本発明の実施の形態を図面に基づき詳細に説明する。【００１８】  図１と図２は本発明の第１の実施の形態に係り図１は全体の外観斜視図、図２は刃の安全カバー図である。【００１９】  図１に示すように巻紙機は大きくはロールペーパー入れ２、ペーパーカバー５、シャフト６、刃付アーム８で構成されている。【００２０】  ロールペーパー１を入れる場合はペーパーカバー５を上げて磁石４付の背板３へ付けて置く。ロールペーパー１は下から引き出す方向にロールペーパー入れ２へ入れる。そしてペーパーの引き出し端を引き出してシャフト６で折り返し刃付アーム８の刃付近に垂れ下げておく、最後にペーパーカバー５をロールペーパー１の上に置く。【００２１】  使用するときは垂れ下がっているペーパーを掴んで必要なだけ手前に引き出し刃付アーム８の裏側に廻して手前に引いて切断する。このとき刃付アーム８が引っ張られアームの上の爪９がギア７の歯に噛みシャフト６がロックされる。これによりペーパー切断時にペーパーがズルズル出てきてしまうことを防ぐ。
【実施例】
【００２２】  実施の形態で示す
【産業上の利用可能性】
【００２３】  本発明は適切な構成にすれば巻きリボン、巻きテープ、巻き紐の切断用として利用できる。
【図面の簡単な説明】
【００２４】
【図１】  本発明の全体の外観斜視図である。
【図２】  刃の安全カバー図である。
【符号の説明】
【００２５】  １、ロールペーパー    ２、ロールペーパー入れ    ３、背板    ４、磁石
５、ペーパーカバー    ６、シャフト    ７、ギア    ８、刃付アーム    ９、爪
【図１】
2009279370.tif 000003
【図２】
2009279370.tif 000004
(57)【要約】      （修正有）【課題】日常使用しているスリッパは、全体が綺麗なのに底（足にあたる部分）が汚れ易く全体を洗濯する必要がある。このため、一番よく汚れる底の部分にカバーを付けた底敷きを敷き汚れた時はカバーのみを洗濯又は拭取りいつも綺麗なスリッパを提供する。【解決手段】スリッパの底（足のあたる部分）の大きさに合わせて底敷き又は底敷きカバーを作る。底敷きは、取り外しが可能な形とする。底敷きにはカバーを付ける（但し底敷きのみで使用する場合はこの限りでない）。【選択図】図１
2009279366.tif 000002
【特許請求の範囲】
【請求項１】
スリッパの底の部分にカバーの付いた底敷きを入れる。
【請求項２】
スリッパの底に敷く底敷きは、中に芯を入れ外側を洗濯可能な布又は拭取り易い素材等で覆う。なお、底敷きの材質によっては、中に芯を入れないで洗濯／拭取り可能な材質のみでもよい。
【請求項３】
底敷きが汚れた場合、その底敷きのカバーのみ洗濯、拭取ることで簡単に綺麗な状態にすることが可能である。底敷きに芯を入れない場合は、底敷きを直接洗濯または拭取る。また、来客時は底敷きを外すだけで綺麗なスリッパとなる。
【発明の詳細な説明】
【技術分野】
【０００１】  この発明は、日常使用しているスリッパは、全体が綺麗なのに底（足にあたる部分）が汚れ易く全体を洗濯する必要がある。このため、一番よく汚れる底の部分にカバーを付けた底敷きを敷き汚れた時はカバーのみを洗濯又は拭取りいつも綺麗なスリッパを保つためのものである。
【背景技術】
【０００２】  従来のスリッパは、底（足にあたる部分）のみ汚れているだけなのに全体を洗う必要があり、洗いづらく、型崩れしやすく、乾きにくく、そして洗濯の間は変わりのスリッパが必要であった。
【発明が解決しようとする課題】
【０００３】  これは次のような欠点があった。
・スリッパ全体は汚れていないのに底（足にあたる部分）の部分だけが特に汚れることが多い。このため綺麗なスルッパとするために全体を洗濯する必要があった。
・洗濯時は洗濯機でなく手で洗う必要があった。また洗濯することによる型崩れがした。
・洗濯後の乾燥においてもスリッパ全体を乾燥させる必要があることから時間がかかり代りのスリッパが必要であった。
・急な来客時、汚れている場合新たなスリッパを用意する必要があった。
本発明は、以上のような欠点をなくすためにらされたものである。
【課題を解決するための手段】
【０００４】  ・スリッパの底（足のあたる部分）の大きさに合わせて底敷き又は底敷きカバーを作る。
・底敷きは、取り外しが可能な形とする。
・底敷きにはカバーを付ける。但し底敷きのみで使用する場合はこの限りでない。
本発明は、以上の構成により「いつも綺麗なスリッパ」となる。
【発明の効果】
【０００５】  ▲１▼底敷き又は底敷きのカバーを交換するだけで何時でも綺麗なスリッパを使用することが出来る。
▲２▼一番汚れやすい底敷き部分のみ洗濯又は拭取りをすればよく、洗濯が簡易で乾燥も早い。
▲３▼スリッパ全体を洗濯する頻度が少ないためスリッパの型崩れがなく何時までも綺麗な形で使用することが出来る。
▲４▼急な来客等でも底敷きを外すだけで綺麗なスリッパとして使用できる。
▲５▼底敷きは他のいろいろな色合いの底敷きとも自由に組合せができ気分転換を楽しむことが出来る。
【発明を実施するための最良の形態】
【０００６】  以下、本発明を実施するための最良の形態について説明する。
・スリッパの底（足のあたる部分）の大きさに合わせた底敷き又は底敷きカバーを敷く。
・底敷きまたは底敷きカバーが汚れたら、底敷きまたは底敷きカバーのみを取り外し洗濯する。
【図面の簡単な説明】
【０００７】
【図１】  本発明の正面図である。
【符号の説明】
【０００８】  （Ａ）：いつも綺麗なスリッパ（全体図）
（１）：スリッパ
（２）：底敷き
（３）：底敷きカバー
【図１】
2009279366.tif 000003
(57)【要約】【課題】  台所作業が簡単になる、水切りカゴをホールド出来る洗い桶を提供する。【解決手段】  底の部分に排水用の穴を開けたことで、排水が簡単に出来るので洗い桶を大きく作る事が出来るので洗い物を同時にたくさん入れられ、洗い物作業が楽になり、目的のちがうゴミネットも同時に装着した大型ゴミ集めの水切りカゴをドッキングさせることで、台所の一部の作業が簡単になる水切りカゴをホールド出来る洗い桶。【選択図】図１
2009279381.tif 000002
【特許請求の範囲】
【請求項１】
底部に排水の為の穴を開け、また、穴を塞ぐ栓も具備し、上部からも水を流し出す為に最上部より少し低い位置に排水経路をもうけた水切りカゴをホールド出来る洗い桶。
【発明の詳細な説明】
【技術分野】
【０００１】  本発明は、一般家庭の食器洗いや野菜の洗浄を行うための洗い桶で、比重の重い土や砂など底にたまりやすい不要物は底部より流しだし、軽くて浮く不要物は上部から流し出して、直接ゴミを、ゴミネットを被せた水切りカゴで不要なゴミを集める水切りカゴをホールド出来る洗い桶に関する物である。
【背景技術】
【０００２】  （イ）多くの家庭用洗い桶はまな板とセットでキッチンの調理作業の容易さを目的にした物が知られている（特許文献１）。
【特許文献１】特開２００７−１８１５９１（Ｐ２００７−１８１５９１Ａ）号広報  （ロ）コーナー水切り・水切カゴは水はけが悪く置く場所もじゃまになるので吸盤でコーナーに留める物が知られている（特許文献２）。【特許文献２】特開２００３−２０１００２（Ｐ２００７−１８１５９１Ａ）号広報
【発明の開示】
【発明が解決しようとする課題】
【０００３】  それには次のような問題点があった。
水洗いや、水切りなどで流れ出た物は流しに直接流れ出てしまい水切りカゴには別に集める作業が必要になります、多くの場合水切りカゴ等は流しの別の場所に置いてある場合が多く、おのおのが独立していますが、本発明は、そのような問題点を解決する為の物である。
【課題を解決する為の手段】
【０００４】  家庭用の洗い桶と、ゴミを集める水切りかごをドッキングさせてる事で手間を省く事が出来る。
【発明の効果】
【０００５】（イ）洗いカゴの底の部分に排水用の穴を開ける事により汚れがひどい水などを底の排水用栓をはずす事で簡単に排水する事が出来、水がいっぱいの桶を持ち上げて排水する必要が無く、排水栓を元に戻せば、簡単に水を綺麗な水に代える事が出来、たとえば、泥や砂など底にたまった様な時でも簡単に流し出せる、このため、桶を大きく作って利用出来るので、洗い物の作業などが大変楽になる。
（ロ）洗いカゴの一部に切りかけをもうけ軽くて水に浮いたゴミを流れ出る様にしてゴミを集める水切りかごに直接流し出してしまうので手間を省く事が出来、水切りカゴも大きな物が利用出来、底の部分の排水口も沢山あけられるので排水が速い。
【発明を実施するための最良の形態】
【０００６】以下、本発明の実施の形態について説明する。
（イ）底の部分にある排水用の穴に排水栓を差し込むか、はずすかで排水、貯水の使用形態が選択出来る。
（ロ）水切りカゴに水切りネットを被せ、洗い桶の所定の位置にセットする。
（ハ）後は、各家庭の今までの方法で野菜の水洗い、食器の洗浄が出来る。
【図面の簡単な説明】
【０００７】
【図１】  本発明の上面図
【図２】  本発明の側面図
【図３】  本発明の右側面図
【図１】
2009279381.tif 000003
【図２】
2009279381.tif 000004
【図３】
2009279381.tif 000005
(57)【要約】【課題】  洋服の上着の襟もとなどの皺を気にすることなく、椅子に掛けられ、、折りたたんで持ち運びがかのうである。【解決手段】洋服ハンガーに背もたれ用フックを取り付け、オフィスなどのチェアー（椅子）の背もたれの上部にはめ込む、ブレザーなどの上着の襟を気にせず背もたれにもたれることができる、背もたれハンガー。【選択図】図１
2009279358.tif 000002
【特許請求の範囲】
【請求項１】
洋服ハンガーに背もたれ用フックを取り付け、オフィスなどのチェアー（椅子）の背もたれの上部にはめ込む、背もたれハンガー。
【請求項２】
折りたたみ式になっていて、バッグなどに入る請求項１記載の背もたれハンガー。
【発明の詳細な説明】
【技術分野】
【考案に属する技術分野】
【０００１】  本発明は、洋服ハンガーに背もたれ用フックを取り付け、オフィスなどのチェアー（椅子）の背もたれの上部にはめ込み、また、折りたたみも可能で、出張等にも持ち運びできる、背もたれハンガーである。
【背景技術】
【０００２】    従来より洋服を掛けるためのハンガーがあった。
【発明の開示】
【課題を解決しようとするための手段】
【０００３】    これは、次のような問題点があった。
（イ）従来の洋服ハンガーをチェアー（椅子）に掛けるには困難があった。
（ロ）チェアー（椅子）の背もたれに直接上着を掛けると、襟元などの皺が気になっ          た。
本考案は、以上の欠点を解決するために考案されたものである。
【課題を解決するための手段】
【０００４】  洋服ハンガーに背もたれ用フックを取り付け、オフィスなどのチェアー（椅子）の背もたれの上部にはめ込み、また、折りたたみも可能で、出張等にも持ち運びでき、ブレザーなどの上着の襟を気にせず背もたれにもたれることができる、背もたれハンガーである。
【考案の効果】
【０００５】  ブレザーなどの上着の襟を気にせず背もたれにもたれることができる。
【発明を実施するための最良の形態】
【０００６】以下、本発明の実施の形態を説明する。
（イ）従来の洋服ハンガー（３）に、椅子の上部に差し込むフック（２）を設ける。
本発明は以上のような構造で、これを使用するときは、オフィスなどのチェアー（椅子）の背もたれの上部（１）に洋服ハンガー（３）に付いたフック（２）をはめ込み、洋服を掛けないときは、折りたたんで机の引き出しなどに収納する。また、折りたたんで鞄に収納し出張等移動にも便利である。
【図面の簡単な説明】
【０００７】
【図１】    本考案の正面図
【符号の説明】
１  背もたれ上部
２  背もたれ用フック
３  従来の洋服ハンガー
【図１】
2009279358.tif 000003
(57)【要約】【課題】本発明は身体を洗うためのスッポンジである。手の届かない背中などは枝の付いたスッポンジ、枝の付いたタワシや長タオルを用いていました。枝の付いた物は使わないとき狭いところでは邪魔になり、長タオルは使用後干す必要があります。以上の煩わしさがないコンパクトな背中が洗えるスッポンジを提供する。【手段】シャワーホースに取り付ける２つに分かれるスッポンジに脱着用のダボを設け、スッポンジのホースからのズレをふせぐホース取り付けうねり溝を設ける。【選択図】図５
2009279359.tif 000002
【特許請求の範囲】
【請求項１】
２つに分かれているスッポンジ体がそれぞれのスッポンジ体にホース取り付けガイドを有し、ホース取り付けガイドには脱着用の結合用ダボとズレ防止用のうねり溝を設けた手の届かない背中が洗へるボディーウオッシャー。
【請求項２】
２つのスッポンジ体の結合用ダボが、片方のホース取り付けガイドに結合ダボを設け、もう一方のホース取り付けガイドにダボ受けを設け、スッポンジ体の結合とホースからの脱着を行う用に設けられている請求項１のボディーウオッシャー。
【請求項３】
スッポンジ体と一体になったホース取り付けガイドに設けられたうねり溝がお互いに咬み合あい、ホースをうねり溝に押し込みに固定が可能に設けられている請求項１のボディーウオッシャー。
【発明の詳細な説明】
【技術分野】
【０００１】本発明は体を洗うためのスッポンジであって手の届かない背中を洗うとき、シャワーホースに取り付けて使うボディーウオッシュスッポンジに関するものである。
【背景技術】
【０００２】従来、体を洗う道具としてタオル、タワシ、スッポンジなどがあり手の届かない背中には枝の付いたスッポンジタワシ、長いタオルなどが用いられています。
【発明の開示】
【発明が解決しようとする課題】
【０００３】枝の付いたタワシ、スッポンジなどは使用しないときは狭い場所では邪魔になります。また長いタオルなどは使用後干さなくてはなりません。本発明は以上の問題を解決しコンパクトなスッポンジで背中を洗うことが出来るようになされたものである。
【課題を解決するための手段】
【０００４】上記の目的を達成するため、二つに分かれているスッポンジ体にホース取り付けガイドを設ける。ホース取り付けガイドにはズレ防止のうねり溝と二つのスッポンジ体の合体用ダボを設ける。本発明は、以上の構成よりなる身体を洗うスッポンジ体である。
【発明の効果】
【０００５】スッポンジ体を使う時も使わない時も、シャワーホースに取り付けた状態が可能なので場所もとらず収納の必要もない。ダボ結合なので簡便に取り外し手持ちで背中以外の部分も洗うことも出来る。
【発明の実施すための最良の形態】
【０００６】以下、本発明の実施の形態を説明する。
（イ）スッポンジ体Ａ（３）に、ホース取り付けガイドＡ（６）を固定、スッポンジ体Ｂ（８）にホース取り付けガイドＢ（７）を固定する。
（ロ）ホース取り付けガイドＢ（７）に結合ダボ（１）を３カ所設ける。ホース取り付けガイドＡ（６）にダボ受け（２）を３カ所設ける（１カ所４個の受けダボのセット）を設ける。
（ハ）ホース取り付けガイドＢ（７）にうねり溝Ｂ（４）、ホース取り付けガイドＡ（６）にうねり溝Ａ（５）を設ける。
本発明は以上の構成よりなる。
本発明を使用するとき、１方のスッポンジ体のホース取り付けガイドの溝に沿ってシャワーホースを押し込み、もう片方のスッポンジ体を合体させホースに固定します。スッポンジ体が背中にくるように両手でホースを握りスッポンジ体を洗う箇所に押しつけるように両手を交互に引いて洗います。
【図面の簡単な説明】
【０００７】
【図１】本発明の正面図
【図２】本発明の平面図
【図３】本発明の側面図
【図４】本発明の断面図
【図５】本発明の分解斜視図
【図６】本発明の図５の見えていない側の斜視図
【符号の説明】
【０００８】  １  結合ダボ
２  ダボ受け
３  スッポンジＡ
４  うねり溝Ｂ
５  うねり溝Ａ
６  ホース取り付けガイドＡ
７  ホース取り付けガイドＢ
８  スッポンジＢ
９  ホース取り出し口
【図１】
2009279359.tif 000003
【図２】
2009279359.tif 000004
【図３】
2009279359.tif 000005
【図４】
2009279359.tif 000006
【図５】
2009279359.tif 000007
【図６】
2009279359.tif 000008
(57)【要約】【課題】  本発明は、絵画、毛筆、塗装などに使用する筆である。従来の筆は、穂先と持ち手が一体となっているため、多種類の穂先を使用する場合は同じ数の持ち手が必要となる。そのため、持ち手の収納スペースが必要であるとともに、１本あたりの価格に必ず持ち手の費用が含まれる。本発明は、収納スペースを小さくし、かつ１本あたりの価格を抑えることができる筆を提供する。【手段】  本発明は穂先のついたキャップと、キャップに挿入し抜けにくい太さの持ち手から構成される。使用する際は持ち手をキャップに差し込んだ状態で使用する。また違うタイプの穂先付キャップと取り替えて使用することにより、１本の持ち手でいろいろな種類の穂先を使用することができる。【選択図】図３
2009279915.tif 000002
【特許請求の範囲】
【請求項１】
穂先のついたキャップと、キャップに挿入でき、かつ抜けにくい太さの持ち手から構成され、使用時は持ち手をキャップに差し込んだ状態で使用する筆。
【請求項２】
違うタイプの穂先付キャップと取り替えて使用することにより、１本の持ち手でいろいろな種類の穂先を使用することができる請求項１の筆。
【請求項３】
キャップ内部に雌ネジ、持ち手の挿入部に雄ネジを設けるなど、抜けにくくする構造を設けた請求項１および請求項２の筆。
【請求項４】
キャップ内筒の大きさを鉛筆などの太さに合わせ、鉛筆など他の用具を持ち手として使用することができる請求項１、請求項２および請求項３の筆。
【請求項５】
穂先付キャップを数種類収納し、持ち手は１本（または数本）のみを収納する、収納用具。
【請求項６】
取り外した筆キャップを立てた状態で固定できる穴または突起を有する用具。
【発明の詳細な説明】
【技術分野】
【０００１】  本発明は、絵画、毛筆、塗装などに使用する筆であって、複数の形の異なる筆先をひとつの持ち手で使用できる筆に関するものである。
【背景技術】
【０００２】  従来、絵画、毛筆、塗装などには、穂先の長さや形、毛の太さが異なる筆が用いられており、それぞれ穂先と持ち手が一体となっている。
【発明の開示】
【発明が解決しようとする課題】
【０００３】  従来の筆は、穂先と持ち手が一体となっているため、多種類の穂先を使用する場合は同じ数の持ち手が必要となる。そのため、持ち手の収納スペースを確保する必要があるとともに、１本あたりの価格に必ず持ち手の費用が含まれている。
本発明は以上の問題に対して、収納スペースを小さくし、かつ１本あたりの価格を抑えるためになされたものである。
【課題を解決するための手段】
【０００４】  本発明は図１に示すように、穂先のついたキャップと、キャップに挿入し抜けにくい太さの持ち手から構成される。使用する際は図２に示すように、持ち手をキャップに差し込んだ状態で使用する。また図３に示すように、違うタイプの穂先付キャップと取り替えて使用することにより、１本の持ち手でいろいろな種類の穂先を使用することができる。
本発明は、以上の構成よりなる多様な穂先を使用することができる筆である。
【発明の効果】
【０００５】  本発明の筆を使用することにより、１．図４に示すように絵の具セットなどへの収納スペースが少なくて済む。２．持ち手の費用が削減され、筆の価格が下がる。３．図５に示すように、鉛筆などの他の道具を持ち手として流用できる。
【発明を実施するための最良の形態】
【０００６】  以下、本発明の実施の形態を説明する。
（イ）図１に示すように、内部が空洞になっているキャップ（１）に穂先（３）を設ける。
（ロ）同図１に示すように、持ち手（２）はキャップに挿入でき、かつ抜けにくい太さとする。
（ハ）その際、キャップ（１）内部に雌ネジ、持ち手（２）の挿入部に雄ネジなど、抜けにくくする構造を設けることも可能である。
（ニ）また、図３に示すように、キャップ（１）は同形状で、穂先（３）は多様な種類（４）（５）（６）のものを準備し、交換して使用することも可能である。
（ホ）図４に示すように、水彩絵の具セット（７）など多種類の穂先を使用する用具入れに収納する場合は、穂先付キャップ（３）（４）（５）（６）は数種類収納しても、持ち手（２）は１本だけ収納すればよい。
（ヘ）図５に示すように、キャップ（１）内筒の大きさを鉛筆（９）などの太さに合わせれば、鉛筆（９）などの他の用具を持ち手（２）として使用することができる。
（ト）使用途中で一時他の筆キャップに交換する際、図６に示すように取り外した筆キャップを立てるためにキャップ（１）を固定できる穴または突起を、筆キャップたて（８）として図４の水彩絵の具セット（７）などに設置することができる。
本発明は以上の構成よりなる。
本発明を使用する場合は、図２に示すようにキャップ（１）に持ち手（２）を挿入し、筆として使用する。
キャップ（１）の内部に雌ネジ、持ち手（２）の挿入部に雄ネジなど  抜けにくくする構造を設けた場合も、持ち手（２）に穂先（３）付のキャップ（１）を取り付けて使用する。
他の種類の穂先を使用する場合は図３に示すように、キャップ（１）と持ち手（２）の接合部から取り外し、他の種類の穂先（４）（５）（６）の付いたキャップ（１）を持ち手（２）に取り付けて使用する。
図４に示すような、水彩絵の具セット（７）内に収納する場合は、持ち手（２）は１本のみで穂先（３）付キャップ（１）を数種類収納することで、いろいろな穂先を使用することができ、かつ収納スペースも少なくてすむ。
図５に示すように、鉛筆（９）などの他の目的の道具を、持ち手（２）として使用することも可能である。
図４と図６に示すように、使用途中で一時他の筆キャップに交換する際は、水彩絵の具セット（７）に設置したような、筆キャップたて（８）（穴または突起）に取り外した筆キャップを立てることができる。
【図面の簡単な説明】
【０００７】
【図１】本発明の基本構成図
【図２】本発明の使用状態図
【図３】本発明の多様な穂先の使用例図
【図４】本発明の収納一例図
【図５】本発明の持ち手応用図
【図６】本発明の筆キャップたて使用例図
【符号の説明】
【０００８】  （１）キャップ、（２）持ち手、（３）穂先（長鋒）、（４）穂先（中鋒）、（５）穂先（毛の量少）、（６）穂先（毛の量多）、（７）水彩絵の具セット、（８）筆キャップたて（９）鉛筆
【図１】
2009279915.tif 000003
【図２】
2009279915.tif 000004
【図３】
2009279915.tif 000005
【図４】
2009279915.tif 000006
【図５】
2009279915.tif 000007
【図６】
2009279915.tif 000008